(57)【要約】【課題】人体の頭又は首の据え置き高さを従来よりも低くでき、浴槽につかりながら安楽な姿勢で且つ快適に頭又は首を暖めたり、冷却したりでき、これにより入浴時のリラックス効果及び肩こり解消効果が高い冷温枕付き浴槽を提供する。【解決手段】浴槽１と、浴槽１のフランジ部２に埋め込まれて人体Ａの頭又は首を載せる埋め込み型の枕本体３と、上記枕本体３内に温水又は冷水の少なくとも一方を供給する給湯・給水制御装置４とを備えた冷温枕付き浴槽である。【選択図】図１
2008183056.tif 000002
【特許請求の範囲】
【請求項１】
浴槽と、浴槽のフランジ部に埋め込まれて人体の頭又は首を載せる埋め込み型の枕本体と、上記枕本体内に温水又は冷水の少なくとも一方を供給する給湯・給水制御装置とを備えていることを特徴とする冷温枕付き浴槽。
【請求項２】
上記給湯・給水制御装置は、枕本体内に温水又は冷水のいずれか一方を切り換えて供給するための切換バルブを備えていることを特徴とする請求項1記載の冷温枕付き浴槽。
【請求項３】
上記給湯・給水制御装置は、枕本体内の温水と冷水とを交互に入れ替えて供給するための肩こり解消モードを備えていることを特徴とする請求項1又は2記載の冷温枕付き浴槽。
【請求項４】
上記枕本体の表面が熱伝導部材からなると共に、熱伝導部材の人体の頭又は首を載せる部分の上面に軟質部材を重ねて構成されていることを特徴とする請求項1乃至３のいずれか一項に記載の冷温枕付き浴槽。
【発明の詳細な説明】
【技術分野】
【０００１】
本発明は、冷温枕付き浴槽に関し、詳しくは浴槽につかりながら人体の頭又は首を冷やしたり温めたりするための枕本体を一体に備えた浴槽構造に関するものである。
【背景技術】
【０００２】
従来から、浴槽１のフランジ部２の上方に突出するようにして設置される枕部３０として、図３（ａ）に示すように、ステンレスパイプの中に温水又は冷水の配管を通し、配管を通過する液体の発熱を利用して、ステンレスパイプの表面を冷却したり、暖めたりする仕様が知られている（例えば、特許文献１、特許文献２、特許文献３参照）。また、図３（ｂ）に示すように、浴槽１のフランジ部２の上面から上方に盛り上げ形成したバス用枕部３１内に温水又は冷水を通すようにした仕様も知られている（例えば、特許文献４参照）。
【０００３】
しかしながら上記特許文献１〜４に見られる従来例にあっては、内部配管からの発熱を間接的に利用した方式であるため、人体Ａの頭の冷やし効果又は暖め効果が極めて低く、しかも枕部３０，３１の表面はステンレス等の硬い材質であるため、快適さの点でも不十分である。そのうえ、浴槽１のフランジ部２の上方に突出して追加する設計構造となっているため、人体Ａの頭又は首の据え置き高さが高く、結果として図３（ａ）、（ｂ）に示すように、自然体での入浴が阻害されるという問題が指摘されていた。特に、大きな浴槽１を選択した場合は、人体Ａの頭又は首を枕部３０，３１に載せるためには、姿勢を正さないといけないものであり、またこの姿勢では体を浴槽１に深くまでつけることができないため、リラックス効果や温まり効果が十分に期待できないという課題を有していた。そのうえ枕部３０，３１を使用しないときは、入浴に際して邪魔になったり、風呂蓋をフランジ部２上面に載せる際に邪魔になるといった課題も有していた。
【特許文献１】実開平５−９３８５号公報
【特許文献２】特公平７−１２１２７３号公報
【特許文献３】特開２００５−１７７２２０号公報
【特許文献４】実開平５−５５９８３号公報
【発明の開示】
【発明が解決しようとする課題】
【０００４】
本発明は上記の従来の問題点に鑑みて発明したものであって、人体の頭又は首の据え置き高さを従来よりも低くでき、浴槽につかりながら安楽な姿勢で且つ快適に頭又は首を暖めたり、冷却したりでき、これにより入浴時のリラックス効果及び肩こり解消効果を高めることが可能となった冷温枕付き浴槽を提供することを課題とするものである。
【課題を解決するための手段】
【０００５】
上記課題を解決するために本発明は、浴槽１と、浴槽１のフランジ部２に埋め込まれて人体Ａの頭又は首を載せる埋め込み型の枕本体３と、上記枕本体３内に温水又は冷水の少なくとも一方を供給する給湯・給水制御装置４とを備えていることを特徴としている。
【０００６】
このような構成とすることで、枕本体３が浴槽１のフランジ部２の上方に突出しなくなり、人体Ａの頭又は首の据え置き高さを従来よりも低くでき、浴槽１につかりながら安楽な姿勢で且つ快適に枕本体３を使用できる。また大きな浴槽１を選択した場合であっても、人体Ａの頭又は首を枕本体３に載せる際に姿勢を正さなくてもよいものであり、それでいて、人体Ａを浴槽１に深くまでつけることができるようになるので、リラックス効果や温まり効果が十分に期待できるようになる。
【０００７】
また、上記給湯・給水制御装置４は、枕本体３内に温水又は冷水のいずれか一方を切り換えて供給するための切換バルブを備えているのが好ましく、この場合、切換バルブの切り換え操作によって枕本体３内への温水又は冷水のいずれか一方を供給できるようになる。
【０００８】
また、上記給湯・給水制御装置４は、枕本体３内の温水と冷水とを交互に入れ替えて供給するための肩こり解消モードを備えているのが好ましく、この場合、冷水と温水との体感温度差を利用して筋肉の緊張・弛緩運動を促し、血行を良くすることができ、肩こり解消効果をより一層高めることができる。
【０００９】
また、上記枕本体３の表面が熱伝導部材５からなると共に、熱伝導部材５の人体Ａの頭又は首を載せる部分の上面に軟質部材６を重ねて構成されているのが好ましく、この場合、人体Ａの頭又は首を柔らかく支持できると共に、頭或いは首との接触面積を増やすことができるため、より高い冷温効果と快適な使用感が得られるようになる。
【発明の効果】
【００１０】
本発明は、埋め込み型の枕本体に温水又は冷水の少なくとも一方を供給するようにしたので、人体の頭又は首の据え置き高さを従来よりも低くでき、浴槽につかりながら安楽な姿勢で且つ快適に頭又は首を暖めたり、冷却したりできる結果、入浴時のリラックス効果及び肩こり解消効果を高めることができる冷温枕付き浴槽を提供できるものである。
【発明を実施するための最良の形態】
【００１１】
以下、本発明を添付図面に示す実施形態に基いて説明する。
【００１２】
本実施形態の冷温枕付き浴槽は、図１に示すように、浴槽１と、浴槽１のフランジ部２に埋め込まれて人体Ａの頭又は首を載せる枕本体３と、枕本体３内に温水又は冷水の少なくとも一方を供給する給湯・給水制御装置４とで構成される。
【００１３】
浴槽１の上端縁から外側方に突出するフランジ部２のうち、浴槽１につかった人の頭が配置される側のフランジ部２の中央部分には、フランジ部２よりも低く凹んだ埋込凹部７が凹設されている。埋込凹部７は枕本体３の裏面形状に近い曲面形状で凹んでおり、この埋込凹部７内に枕本体３を埋め込んだ状態で、フランジ部２の上面と枕本体３の周縁部上面とが略面一に連続するような形状をしている。なお図１中の１０は給水用一次配管、１３は給湯用一次配管、７０は電源ケーブル、７１はセンサーケーブル、７２は天井接続電源ケーブルである。
【００１４】
上記埋込凹部７に埋め込まれる枕本体３は、人体Ａの頭又は首を載せるための袋体で構成されており、図2（ａ）（ｂ）に示すように、枕本体３の背面に設けた給湯口３ａ、給水口３ｂは、埋込凹部７の背部を貫通して給湯用二次配管１２の一端、給水用二次配管１５の一端に個別に接続されており、枕本体３の底面に設けた排水口３ｃは、埋込凹部７の底部を貫通して排水管９の一端に接続されている。枕本体３の上面は、図１のように人体Ａの顔を斜め前方に起こした状態で人体Ａの頭又は首を背後から保持できるような傾斜面状をしており、これにより最も楽な入浴姿勢をとりながら枕本体３を使用できるようにしてある。この枕本体３の外郭部は、例えば図２（ｂ）に示すように熱伝導部材５からなると共に、熱伝導部材５における人体Ａの頭又は首を載せる上面部分に軟質部材６が重ねて固着されている。
【００１５】
上記枕本体３には、温水又は冷水の少なくとも一方を供給するための給湯・給水制御装置４が接続される。給湯・給水制御装置４は、フランジ部２の下方空間における浴槽１の外部スペースに設置される制御ボックス８に内蔵されている。給湯・給水制御装置４は、給湯用一次配管１０からの温水と給水用一次配管１３からの冷水とを切り換えるための電磁弁からなる切換バルブ（図示せず）を備えており、図２に示す浴室壁面に設置したコントローラ１７による切換バルブの切り換え操作によって枕本体３内に温水又は冷水のいずれか一方、或いは温水と冷水とを交互に供給できる仕組みとなっている。なお、コントローラ１７には、後述する３つのモードを選択する操作釦と当該選択されたモードを表示する表示部とが設けられている。
【００１６】
本例の給湯・給水制御装置４は、枕本体３内に温水を供給する暖めモードと、枕本体３内に冷水を供給する冷やしモードと、温水と冷水とを交互に入れ替えて供給する肩こり解消モードとが予め設定されている。ここで、冷やしモードでは、例えば５℃の冷水を供給するモードであり、冷水が枕本体３内を循環することで、枕本体３は冷却枕としての機能を発揮する。暖めモードでは、例えば４０℃の温水を選択するモードであり、枕本体３は温熱枕としての機能を発揮する。肩こり解消モードでは、温水と冷水とを交互に入れ替えて供給することで枕本体３の表面温度に変化をもたせるためのものであり、例えば所定時間にて温水と冷水とを切り換えて供給するタイマー手段を内蔵しており、冷水と温水とが所定時間（例えば３分間）サイクルで自動的に入れ替わるようにしている。さらに枕本体３に温度センサーを付設し、温度センサーからの検知温度に応じて供給する湯水の温度をフィードバック制御する構成とするのが好ましい。なお、使用後には排水釦の操作によって枕本体３内の使用後の水が枕本体３の排水口から排水管９を経て排出される。
【００１７】
しかして上記構成の枕本体３は、従来のように浴槽１のフランジ部２の上方に突出して配置されるものではなく、フランジ部２に設けた埋込凹部７内にフランジ部２と略面一となるように埋め込まれるものであるから、人体Ａの頭又は首の据え置き高さを従来よりも低くなり、浴槽１につかりながら安楽な姿勢で且つ快適に枕本体３を使用して入浴することができるようになり、自然体で入浴しながら枕本体３による冷却・暖め効果を高めることができる。特に、大きな浴槽１を選択した場合であっても、人体Ａの頭又は首を枕本体３に載せる際に姿勢を正さなくてもよいものであり、それでいて、人体Ａを浴槽１に深くまでつけることができるようになるので、リラックス効果や温まり効果が十分に期待できることとなり、結果、入浴時のリラックス効果をより高めることができと共に、肩こり解消機能に優れた効果が得られる。さらに、枕本体３をフランジ部２と面一に埋め込むことにより、枕本体３を使用しないときは枕本体３がフランジ部２の上方に突出していないため、入浴に際して枕本体３が邪魔にならないという利点や、風呂蓋をフランジ部２上面に載置する際に枕本体３が邪魔にならないという利点もある。
【００１８】
また、枕本体３の人体Ａの頭又は首を載せる部分の上面には軟質部材６を重ねて配置されているので、人体Ａの頭又は首を柔らかく支持できると共に、頭或いは首との接触面積を増やすことができるため、より高い冷温効果と快適な使用感を得ることができる利点がある。
【００１９】
また、浴室壁に設置したコントローラ１７の操作により、冷やしモードと暖めモードと肩こり解消モードとを選択自在となっている。冷やしモードでは、入浴者の頭或いは首を冷やして、のぼせを防止でき、快適な入浴環境が得られ、リラックスタイムを長く楽しむことができるものであり、夏場でも風呂に入ることが億劫でなくなる。一方、暖めモードでは、冷え性の人が全身で温まりたい時に有効である。また肩こり解消モードでは、温水と冷水を交互に入れ替えることで枕本体３の体感温度差を利用して筋肉の緊張・弛緩運動を促し、血行を良くすることができるものであり、これはサウナ浴と水風呂とを交互にする場合と同様の原理であり、血行改善により肩こり解消がより一層図られるものである。
【００２０】
さらに本例では、埋込凹部７の外部から見えない枕本体３の裏面側に給湯・給水経路及び排水経路を設けたことにより、枕本体３の外観が良くなる利点もある。
【図面の簡単な説明】
【００２１】
【図１】本発明の一実施形態の冷温枕付き浴槽の使用例を説明する側面断面図である。
【図２】（ａ）は同上の枕本体及び給湯・給水制御装置を説明する概略斜視図であり、（ｂ）は同上の枕本体の縦断面図である。
【図３】（ａ）は従来のバス用パイプ枕を使用した場合の入浴体勢の一例を示し、（ｂ）は他の従来例の入浴体勢を示す図である。
【符号の説明】
【００２２】
１  浴槽
２  フランジ部
３  枕本体
４  給湯・給水制御装置
５  熱伝導部材
６  軟質部材
Ａ  人体
【図１】
2008183056.tif 000003
【図２】
2008183056.tif 000004
【図３】
2008183056.tif 000005